(57)【要約】【課題】番組視聴の楽しみを損なうことを回避する。【解決手段】所定の映像部分に対応する手がかり語を格納している手段１０２と、取得された映像に対応付けられているテキストデータを取得する手段１０１と、テキストデータと手がかり語とを照合し取得された映像のうち、手がかり語に対応する映像部分を特定する手段１０１と、トピックごとに映像を分割する手段１０３と、分割された映像ごとに、分割された各映像に対応する、サムネイル、キーワード、および、キーセンテンスを作成する手段と、特定された映像部分に対応するサムネイル、キーワード、および、キーセンテンスの少なくとも一部分を隠蔽する手段１０５と、分割された複数の映像と、各映像に対応する、サムネイル、キーワード、および、キーセンテンスとの映像組を提示する手段１０６と、提示された映像組から組を選択させる手段１０７，１０８とを具備する。【選択図】      図１
2007150724.tif 000002
【特許請求の範囲】
【請求項１】
所定の映像部分に対応する手がかり語を少なくとも１つ以上予め格納している格納手段と、
ある映像を取得する映像取得手段と、
前記取得された映像に対応付けられているテキストデータを取得するテキストデータ取得手段と、
前記テキストデータと前記手がかり語とを照合し、前記取得された映像のうち、前記手がかり語に対応する映像部分を特定する手段と、
前記テキストデータに基づいて、前記取得された映像の内容から複数のトピックを抽出するトピック抽出手段と、
前記抽出されたトピックごとに前記映像を分割する分割手段と、
前記分割された映像ごとに、分割された各映像に対応する、サムネイル、キーワード、および、キーセンテンスのうちの少なくとも１つ以上を作成する作成手段と、
前記特定された映像部分に対応する、前記作成された、サムネイル、キーワード、および、キーセンテンスのうちの少なくとも一部分を隠蔽する隠蔽手段と、
前記隠蔽手段によって一部分が隠蔽された後に、前記分割された複数の映像と、各映像に対応する、サムネイル、キーワード、および、キーセンテンスのうちの少なくとも１つ以上との映像組を複数提示する提示手段と、
複数の前記提示された映像組から少なくとも１つの組を選択させる選択手段と、を具備することを特徴とする映像視聴支援システム。
【請求項２】
前記隠蔽手段は、前記特定された映像部分を含んでいる、分割された映像を隠蔽することを特徴とする請求項１に記載の映像視聴支援システム。
【請求項３】
前記隠蔽手段は、前記作成された、サムネイル、キーワード、および、キーセンテンスのうちの少なくとも一部分を、非開示タグで覆って隠蔽することを特徴とする請求項１に記載の映像視聴支援システム。
【請求項４】
前記非開示タグは、バナー、ふき出し、網掛け、ぼかし、モザイクのうち少なくとも１つであることを特徴とする請求項３に記載の映像視聴支援システム。
【請求項５】
所定の映像部分に対応する手がかり語を少なくとも１つ以上予め格納している格納手段と、
ある映像を取得する映像取得手段と、
前記取得された映像に対応付けられているテキストデータを取得するテキストデータ取得手段と、
前記テキストデータと前記手がかり語とを照合し、前記取得された映像のうち、前記手がかり語に対応する映像部分を特定する手段と、
前記テキストデータに基づいて、前記取得された映像の内容から複数のトピックを抽出するトピック抽出手段と、
前記抽出されたトピックごとに前記映像を分割する分割手段と、
前記分割された映像のうちの前記特定された映像部分を含まない分割された映像ごとに、分割された各映像に対応する、サムネイル、キーワード、および、キーセンテンスのうちの少なくとも１つ以上を作成する作成手段と、
前記分割された複数の映像と、各映像に対応する、サムネイル、キーワード、および、キーセンテンスのうちの少なくとも１つ以上との映像組を複数提示する提示手段と、
複数の前記提示された映像組から少なくとも１つの組を選択させる選択手段と、を具備することを特徴とする映像視聴支援システム。
【請求項６】
前記トピック抽出手段は、前記特定された映像部分の開始点もしくは終了点のうちの少なくとも一方を前記トピックの開始点または終了点として前記トピックを抽出することを特徴とする請求項１から請求項５のいずれか１つに記載の映像視聴支援システム。
【請求項７】
所定の映像部分に対応する手がかり語を少なくとも１つ以上予め格納している格納手段と、
ある映像を取得する映像取得手段と、
前記取得された映像に対応付けられているテキストデータを取得するテキストデータ取得手段と、
前記テキストデータに基づいて、前記取得された映像の内容から複数のトピックを抽出するトピック抽出手段と、
前記抽出されたトピックごとに前記映像を分割する分割手段と、
前記テキストデータと前記手がかり語とを照合し、前記分割された映像ごとに前記手がかり語に対応する映像部分を含んでいるか否かを判定する手段と、
前記分割された映像ごとに、分割された各映像に対応する、サムネイル、キーワード、および、キーセンテンスのうちの少なくとも１つ以上を作成する作成手段と、
前記手がかり語に対応する映像部分を含んでいると判定された、分割された映像に含まれる、サムネイル、キーワード、および、キーセンテンスのうちの少なくとも一部分を隠蔽する隠蔽手段と、
前記隠蔽手段によって一部分が隠蔽された後に、前記分割された複数の映像と、各映像に対応する、サムネイル、キーワード、および、キーセンテンスの少なくとも１つ以上との映像組を複数提示する提示手段と、
複数の前記提示された映像組から少なくとも１つの組を選択させる選択手段と、を具備することを特徴とする映像視聴支援システム。
【請求項８】
前記隠蔽手段は、前記手がかり語に対応する映像部分を含んでいると判定された、分割された映像を隠蔽することを特徴とする請求項７に記載の映像視聴支援システム。
【請求項９】
前記隠蔽手段は、前記作成された、サムネイル、キーワード、および、キーセンテンスのうちの少なくとも一部分を、非開示タグで覆って隠蔽することを特徴とする請求項７に記載の映像視聴支援システム。
【請求項１０】
前記非開示タグは、バナー、ふき出し、網掛け、ぼかし、モザイクのうち少なくとも１つであることを特徴とする請求項９に記載の映像視聴支援システム。
【請求項１１】
所定の映像部分に対応する手がかり語を少なくとも１つ以上予め格納している格納手段と、
ある映像を取得する映像取得手段と、
前記取得された映像に対応付けられているテキストデータを取得するテキストデータ取得手段と、
前記テキストデータに基づいて、前記取得された映像の内容から複数のトピックを抽出するトピック抽出手段と、
前記抽出されたトピックごとに前記映像を分割する分割手段と、
前記テキストデータと前記手がかり語とを照合し、前記分割された映像ごとに前記手がかり語に対応する映像部分を含んでいるか否かを判定する手段と、
前記分割された映像のうちの前記手がかり語に対応する映像部分を含まない分割された映像ごとに、サムネイル、キーワード、および、キーセンテンスのうちの少なくとも１つ以上を作成する作成手段と、
前記分割された複数の映像と、各映像に対応する、サムネイル、キーワード、および、キーセンテンスの少なくとも１つ以上との映像組を複数提示する提示手段と、
複数の前記提示された映像組から少なくとも１つの組を選択させる選択手段と、を具備することを特徴とする映像視聴支援システム。
【請求項１２】
前記提示された映像組ごとに、前記隠蔽されている部分を開示する操作、もしくは、開示されている部分を隠蔽する操作を受け付ける手段をさらに具備し、
前記格納手段は、前記操作に応じて、前記隠蔽されている部分を開示した映像部分に対応する手がかり語を削除し、前記開示されている部分を隠蔽した映像部分に対応する手がかり語を追加することを特徴とする請求項１から請求項１１のいずれか１つに記載の映像視聴支援システム。
【請求項１３】
所定の映像部分に対応する手がかり語を少なくとも１つ以上予め格納している格納手段を用意し、
ある映像を取得し、
前記取得された映像に対応付けられているテキストデータを取得し、
前記テキストデータと前記手がかり語とを照合し、前記取得された映像のうち、前記手がかり語に対応する映像部分を特定し、
前記テキストデータに基づいて、前記取得された映像の内容から複数のトピックを抽出し、
前記抽出されたトピックごとに前記映像を分割し、
前記分割された映像ごとに、分割された各映像に対応する、サムネイル、キーワード、および、キーセンテンスのうちの少なくとも１つ以上を作成し、
前記特定された映像部分に対応する、前記作成された、サムネイル、キーワード、および、キーセンテンスのうちの少なくとも一部分を隠蔽し、
前記分割された複数の映像と、各映像に対応する、サムネイル、キーワード、および、キーセンテンスのうちの少なくとも１つ以上との映像組を複数提示し、
複数の前記提示された映像組から少なくとも１つの組を選択させることを特徴とする映像視聴支援方法。
【請求項１４】
所定の映像部分に対応する手がかり語を少なくとも１つ以上予め格納している格納手段を用意し、
ある映像を取得し、
前記取得された映像に対応付けられているテキストデータを取得し、
前記テキストデータと前記手がかり語とを照合し、前記取得された映像のうち、前記手がかり語に対応する映像部分を特定し、
前記テキストデータに基づいて、前記取得された映像の内容から複数のトピックを抽出し、
前記抽出されたトピックごとに前記映像を分割し、
前記分割された映像のうちの前記特定された映像部分を含まない分割された映像ごとに、分割された各映像に対応する、サムネイル、キーワード、および、キーセンテンスのうちの少なくとも１つ以上を作成し、
前記分割された複数の映像と、各映像に対応する、サムネイル、キーワード、および、キーセンテンスのうちの少なくとも１つ以上との映像組を複数提示し、
複数の前記提示された映像組から少なくとも１つの組を選択させることを特徴とする映像視聴支援方法。
【請求項１５】
所定の映像部分に対応する手がかり語を少なくとも１つ以上予め格納している格納手段を用意し、
ある映像を取得し、
前記取得された映像に対応付けられているテキストデータを取得し、
前記テキストデータに基づいて、前記取得された映像の内容から複数のトピックを抽出し、
前記抽出されたトピックごとに前記映像を分割し、
前記テキストデータと前記手がかり語とを照合し、前記分割された映像ごとに前記手がかり語に対応する映像部分を含んでいるか否かを判定し、
前記分割された映像ごとに、分割された各映像に対応する、サムネイル、キーワード、および、キーセンテンスのうちの少なくとも１つ以上を作成し、
前記手がかり語に対応する映像部分を含んでいると判定された、分割された映像に含まれる、サムネイル、キーワード、および、キーセンテンスのうちの少なくとも一部分を隠蔽し、
前記分割された複数の映像と、各映像に対応する、サムネイル、キーワード、および、キーセンテンスの少なくとも１つ以上との映像組を複数提示し、
複数の前記提示された映像組から少なくとも１つの組を選択させることを特徴とする映像視聴支援方法。
【請求項１６】
所定の映像部分に対応する手がかり語を少なくとも１つ以上予め格納している格納手段を用意し、
ある映像を取得し、
前記取得された映像に対応付けられているテキストデータを取得し、
前記テキストデータに基づいて、前記取得された映像の内容から複数のトピックを抽出し、
前記抽出されたトピックごとに前記映像を分割し、
前記テキストデータと前記手がかり語とを照合し、前記分割された映像ごとに前記手がかり語に対応する映像部分を含んでいるか否かを判定し、
前記分割された映像のうちの前記手がかり語に対応する映像部分を含まない分割された映像ごとに、サムネイル、キーワード、および、キーセンテンスのうちの少なくとも１つ以上を作成し、
前記分割された複数の映像と、各映像に対応する、サムネイル、キーワード、および、キーセンテンスの少なくとも１つ以上との映像組を複数提示し、
複数の前記提示された映像組から少なくとも１つの組を選択させることを特徴とする映像視聴支援方法。
【発明の詳細な説明】
【技術分野】
【０００１】
本発明は、映像コンテンツをトピックごとに分割してユーザに提示し、ユーザに視聴したいトピックを選択させることにより映像コンテンツの効率的視聴を可能にする映像視聴支援システムおよび方法に関する。
【背景技術】
【０００２】
現在、地上波、衛星放送、ケーブルテレビで配信されるテレビ番組や、ＤＶＤなどのメディアにより販売される映画など、視聴者は多様なビデオコンテンツに接している。今後も、チャネル数の増加や安価なメディアの普及により、視聴可能なコンテンツの量は増え続けると考えられる。このため、１つのビデオコンテンツを最初から最後まで視聴するという視聴スタイルに変わって、まず１つのビデオコンテンツの全体構造、すなわち目次のようなものを概観し、自分の興味のある部分のみを選択してから視聴する、といった「選択的視聴（selective viewing）」というスタイルが今後一般化する可能性がある。
【０００３】
例えば、２時間の雑多な話題を含む情報番組のうち、まず特定の話題を２つ３つ選択し、これらのみを視聴すれば、合計の視聴時間は数十分でおさまり、あまった時間を他の番組の視聴や、ビデオコンテンツ視聴以外に使うことにより、効率的なライフスタイルが実現できる可能性がある。
【０００４】
従来、ビデオコンテンツの選択的視聴を行うには、ユーザインタフェースを視聴者に提供する手法が考えられる（例えば、特許文献１参照）。この手法では、分割済みのビデオコンテンツに対して、分割された内容ごとにキーフレーム（key frame）、すなわちサムネイル（thumbnail）画像を提示し、さらに各サムネイル画像とともにユーザの興味度などを表示するインタフェースを提供している。
【０００５】
以上のような従来技術を用いれば、各トピックに対応するサムネイル画像とキーワードあるいはキーセンテンスの一覧をユーザに提示し、ユーザに選択的視聴を促すインタフェースを構成することができる。
【０００６】
しかし、このようなユーザインタフェースを実際に選択的視聴に利用する場合には、ユーザが視聴の前には知らせてほしくない情報が視聴前にユーザに提示されてしまうことにより、視聴の楽しみが損なわれてしまうという問題点がある。  
例えば、クイズ番組を視聴しようと思っているユーザにクイズの回答キーワードや回答映像を見せてしまったり、スポーツ番組を視聴しようと思っているユーザにスコアが表示されたサムネイル画像を見せてしまったり、あるいはお笑い番組を視聴しようと思っているユーザに、ネタのオチ（punchline）の部分をキーセンテンスとして見せてしまうといった失敗が考えられる。  
このような失敗が頻発すれば、ユーザは視聴前に興味を失ってしまい、ユーザに興味のある部分を選択させ効率的な視聴を実現するという選択的視聴の本来の目的が達成できなくなる恐れがある。  
そこで、ユーザの視聴の楽しみを損なわないための技術として、複数の映像コンテンツの相互参照関係を利用し、例えば、ユーザが楽しみにしているスポーツ番組の前にそのスポーツの試合の結果を伝えるニュース番組をユーザに提示することがないよう、ユーザに提示すべきコンテンツの順序を工夫するものがある（例えば、特許文献２参照）。
【特許文献１】特開２００４−２３７９９号公報
【特許文献２】特開２００４−１１８４８３号公報
【発明の開示】
【発明が解決しようとする課題】
【０００７】
しかし、上記技術は、あるコンテンツのどの部分が他のコンテンツに引用されているか、という引用関係をもとにしているため、単一の番組のトピック分割による選択的視聴に適用することができない。また、選択的視聴においては一覧画面にユーザが事前には見たくない情報が提示されてしまうが、上記技術は、番組の提示順序を制御するだけであるので、例えば、トピック一覧画面においてユーザが事前には見たくない情報を隠蔽するといった解決手段を有していない。
【０００８】
本発明はかかる事情を考慮してなされたものであり、ユーザの番組視聴の楽しみを損なうことを回避する映像視聴支援システムおよび方法を提供することを目的とする。
【課題を解決するための手段】
【０００９】
上述の課題を解決するため、本発明の映像視聴支援システムは、所定の映像部分に対応する手がかり語を少なくとも１つ以上予め格納している格納手段と、ある映像を取得する映像取得手段と、前記取得された映像に対応付けられているテキストデータを取得するテキストデータ取得手段と、前記テキストデータと前記手がかり語とを照合し、前記取得された映像のうち、前記手がかり語に対応する映像部分を特定する手段と、前記テキストデータに基づいて、前記取得された映像の内容から複数のトピックを抽出するトピック抽出手段と、前記抽出されたトピックごとに前記映像を分割する分割手段と、前記分割された映像ごとに、分割された各映像に対応する、サムネイル、キーワード、および、キーセンテンスのうちの少なくとも１つ以上を作成する作成手段と、前記特定された映像部分に対応する、前記作成された、サムネイル、キーワード、および、キーセンテンスのうちの少なくとも一部分を隠蔽する隠蔽手段と、前記隠蔽手段によって一部分が隠蔽された後に、前記分割された複数の映像と、各映像に対応する、サムネイル、キーワード、および、キーセンテンスのうちの少なくとも１つ以上との映像組を複数提示する提示手段と、複数の前記提示された映像組から少なくとも１つの組を選択させる選択手段と、を具備することを特徴とする。
【００１０】
また、本発明の映像視聴支援システムは、所定の映像部分に対応する手がかり語を少なくとも１つ以上予め格納している格納手段と、ある映像を取得する映像取得手段と、前記取得された映像に対応付けられているテキストデータを取得するテキストデータ取得手段と、前記テキストデータと前記手がかり語とを照合し、前記取得された映像のうち、前記手がかり語に対応する映像部分を特定する手段と、前記テキストデータに基づいて、前記取得された映像の内容から複数のトピックを抽出するトピック抽出手段と、前記抽出されたトピックごとに前記映像を分割する分割手段と、前記分割された映像のうちの前記特定された映像部分を含まない分割された映像ごとに、分割された各映像に対応する、サムネイル、キーワード、および、キーセンテンスのうちの少なくとも１つ以上を作成する作成手段と、前記分割された複数の映像と、各映像に対応する、サムネイル、キーワード、および、キーセンテンスのうちの少なくとも１つ以上との映像組を複数提示する提示手段と、複数の前記提示された映像組から少なくとも１つの組を選択させる選択手段と、を具備することを特徴とする。
【００１１】
さらに、本発明の映像視聴支援システムは、所定の映像部分に対応する手がかり語を少なくとも１つ以上予め格納している格納手段と、ある映像を取得する映像取得手段と、前記取得された映像に対応付けられているテキストデータを取得するテキストデータ取得手段と、前記テキストデータに基づいて、前記取得された映像の内容から複数のトピックを抽出するトピック抽出手段と、前記抽出されたトピックごとに前記映像を分割する分割手段と、前記テキストデータと前記手がかり語とを照合し、前記分割された映像ごとに前記手がかり語に対応する映像部分を含んでいるか否かを判定する手段と、前記分割された映像ごとに、分割された各映像に対応する、サムネイル、キーワード、および、キーセンテンスのうちの少なくとも１つ以上を作成する作成手段と、前記手がかり語に対応する映像部分を含んでいると判定された、分割された映像に含まれる、サムネイル、キーワード、および、キーセンテンスのうちの少なくとも一部分を隠蔽する隠蔽手段と、前記隠蔽手段によって一部分が隠蔽された後に、前記分割された複数の映像と、各映像に対応する、サムネイル、キーワード、および、キーセンテンスの少なくとも１つ以上との映像組を複数提示する提示手段と、複数の前記提示された映像組から少なくとも１つの組を選択させる選択手段と、を具備することを特徴とする。
【００１２】
またさらに、本発明の映像視聴支援システムは、所定の映像部分に対応する手がかり語を少なくとも１つ以上予め格納している格納手段と、ある映像を取得する映像取得手段と、前記取得された映像に対応付けられているテキストデータを取得するテキストデータ取得手段と、前記テキストデータに基づいて、前記取得された映像の内容から複数のトピックを抽出するトピック抽出手段と、前記抽出されたトピックごとに前記映像を分割する分割手段と、前記テキストデータと前記手がかり語とを照合し、前記分割された映像ごとに前記手がかり語に対応する映像部分を含んでいるか否かを判定する手段と、前記分割された映像のうちの前記手がかり語に対応する映像部分を含まない分割された映像ごとに、サムネイル、キーワード、および、キーセンテンスのうちの少なくとも１つ以上を作成する作成手段と、前記分割された複数の映像と、各映像に対応する、サムネイル、キーワード、および、キーセンテンスの少なくとも１つ以上との映像組を複数提示する提示手段と、複数の前記提示された映像組から少なくとも１つの組を選択させる選択手段と、を具備することを特徴とする。
【００１３】
本発明の映像視聴支援方法は、所定の映像部分に対応する手がかり語を少なくとも１つ以上予め格納している格納手段を用意し、ある映像を取得し、前記取得された映像に対応付けられているテキストデータを取得し、前記テキストデータと前記手がかり語とを照合し、前記取得された映像のうち、前記手がかり語に対応する映像部分を特定し、前記テキストデータに基づいて、前記取得された映像の内容から複数のトピックを抽出し、前記抽出されたトピックごとに前記映像を分割し、前記分割された映像ごとに、分割された各映像に対応する、サムネイル、キーワード、および、キーセンテンスのうちの少なくとも１つ以上を作成し、前記特定された映像部分に対応する、前記作成された、サムネイル、キーワード、および、キーセンテンスのうちの少なくとも一部分を隠蔽し、前記分割された複数の映像と、各映像に対応する、サムネイル、キーワード、および、キーセンテンスのうちの少なくとも１つ以上との映像組を複数提示し、複数の前記提示された映像組から少なくとも１つの組を選択させることを特徴とする。
【００１４】
また、本発明の映像視聴支援方法は、所定の映像部分に対応する手がかり語を少なくとも１つ以上予め格納している格納手段を用意し、ある映像を取得し、前記取得された映像に対応付けられているテキストデータを取得し、前記テキストデータと前記手がかり語とを照合し、前記取得された映像のうち、前記手がかり語に対応する映像部分を特定し、前記テキストデータに基づいて、前記取得された映像の内容から複数のトピックを抽出し、前記抽出されたトピックごとに前記映像を分割し、前記分割された映像のうちの前記特定された映像部分を含まない分割された映像ごとに、分割された各映像に対応する、サムネイル、キーワード、および、キーセンテンスのうちの少なくとも１つ以上を作成し、前記分割された複数の映像と、各映像に対応する、サムネイル、キーワード、および、キーセンテンスのうちの少なくとも１つ以上との映像組を複数提示し、複数の前記提示された映像組から少なくとも１つの組を選択させることを特徴とする。
【００１５】
さらに、本発明の映像視聴支援方法は、所定の映像部分に対応する手がかり語を少なくとも１つ以上予め格納している格納手段を用意し、ある映像を取得し、前記取得された映像に対応付けられているテキストデータを取得し、前記テキストデータに基づいて、前記取得された映像の内容から複数のトピックを抽出し、前記抽出されたトピックごとに前記映像を分割し、前記テキストデータと前記手がかり語とを照合し、前記分割された映像ごとに前記手がかり語に対応する映像部分を含んでいるか否かを判定し、前記分割された映像ごとに、分割された各映像に対応する、サムネイル、キーワード、および、キーセンテンスのうちの少なくとも１つ以上を作成し、前記手がかり語に対応する映像部分を含んでいると判定された、分割された映像に含まれる、サムネイル、キーワード、および、キーセンテンスのうちの少なくとも一部分を隠蔽し、前記分割された複数の映像と、各映像に対応する、サムネイル、キーワード、および、キーセンテンスの少なくとも１つ以上との映像組を複数提示し、複数の前記提示された映像組から少なくとも１つの組を選択させることを特徴とする。
【００１６】
またさらに、本発明の映像視聴支援方法は、所定の映像部分に対応する手がかり語を少なくとも１つ以上予め格納している格納手段を用意し、ある映像を取得し、前記取得された映像に対応付けられているテキストデータを取得し、前記テキストデータに基づいて、前記取得された映像の内容から複数のトピックを抽出し、前記抽出されたトピックごとに前記映像を分割し、前記テキストデータと前記手がかり語とを照合し、前記分割された映像ごとに前記手がかり語に対応する映像部分を含んでいるか否かを判定し、前記分割された映像のうちの前記手がかり語に対応する映像部分を含まない分割された映像ごとに、サムネイル、キーワード、および、キーセンテンスのうちの少なくとも１つ以上を作成し、前記分割された複数の映像と、各映像に対応する、サムネイル、キーワード、および、キーセンテンスの少なくとも１つ以上との映像組を複数提示し、複数の前記提示された映像組から少なくとも１つの組を選択させることを特徴とする。
【発明の効果】
【００１７】
本発明の映像視聴支援システムおよび方法によれば、ユーザの番組視聴の楽しみを損なうことを回避することができる。
【発明を実施するための最良の形態】
【００１８】
以下、図面を参照しながら本発明の実施形態に係る映像視聴支援システムおよび方法について詳細に説明する。  
（第１の実施形態）  
本発明の第１の実施形態に係る映像視聴支援システムについて図１を参照して説明する。図１は本発明の第１の実施形態に係る映像視聴支援システムの概略構成を示すブロック図である。  
本実施形態の映像視聴支援システム１００は、非開示部分判定部１０１、非開示部分判定ルールデータベース（ＤＢ）１０２、トピック分割部１０３、非開示部分判定結果トピック分割結果データベース１０４、トピック一覧生成部１０５、出力部１０６、入力部１０７、再生部分選択部１０８を備えている。
【００１９】
非開示部分判定部１０１は、ユーザが特定のジャンルのビデオコンテンツを視聴する前に、視聴前の開示に適した映像部分と適さない映像部分とに分割するための境界を判定する。本実施形態では、非開示部分判定部１０１は、ユーザが特定のジャンル（例えば、スポーツ、クイズ）のビデオコンテンツを視聴する前に、この視聴前に視聴すべきでない映像部分を特定する。非開示部分判定部１０１は、非開示部分判定ルールデータベース１０２を参照して、取得した映像について、上記の視聴すべきでない映像部分を特定する。  
非開示部分判定ルールデータベース１０２は、自然言語表現を手がかり語（cue phrases）として格納している。非開示部分判定部１０１は、この手がかり語に対応する映像部分があるかを検出することによって、上記の視聴すべきでない映像部分を特定する。  
トピック分割部１０３は、ビデオコンテンツをトピックに分割する。  
非開示部分判定結果トピック分割結果データベース１０４は、ビデオコンテンツごとに、非開示部分判定部１０１が特定した映像部分と、トピック分割部１０３により得られたトピックを格納する。
【００２０】
トピック一覧生成部１０５は、非開示部分判定結果トピック分割結果データベース１０４を参照して、ユーザに提示する、サムネイル画像、キーワード、キーセンテンスを生成し、トピック一覧情報を作成する。この際、トピック一覧生成部１０５は、非開示部分判定結果トピック分割結果データベース１０４を参照して、非開示部分判定部１０１が特定した映像部分に含まれる、サムネイル画像、キーワード、キーセンテンスを隠蔽する。  
出力部１０６は、トピック一覧情報やビデオコンテンツを提示する。出力部１０６は、例えば、ディスプレイ画面を有している。  
入力部１０７は、ユーザからトピックに対する操作や、ビデオコンテンツの再生開始、停止、早送りなどの操作コマンドの入力を受け付ける、リモコンやキーボードなどの入力装置に対応する。
【００２１】
再生部分選択部１０８は、ユーザが選択したトピックに応じてユーザに提示する映像情報を生成する。
【００２２】
次に、図１の映像視聴支援システムの動作について説明する。  
まず、非開示部分判定部１０１は、テレビやＤＶＤプレーヤー／レコーダー、ハードディスクレコーダーなどの外部機器からデコーダ１０９でデコードされたビデオコンテンツを取得し、非開示部分判定ルールデータベース１０２を参照して、ビデオコンテンツをユーザへの視聴前の開示に適した部分と適さない部分とに分割するための複数の境界を決定する。ビデオコンテンツが放送データである場合は、このビデオコンテンツに関するＥＰＧ（electronic program guide）情報も同時に取得してもよい。ここでＥＰＧとは、放送局が提供する、番組の概要やジャンル、出演者情報のテキストデータを含むデータである。
【００２３】
次に、トピック分割部１０３は、非開示部分判定部１０１が決定した各境界に基づいて、ビデオコンテンツのトピック分割を行い、非開示部分判定結果トピック分割結果データベース１０４に分割結果を格納する。また、トピック分割部１０３は、非開示部分判定部１０１が判定した結果である非開示部分判定結果を非開示部分判定結果トピック分割結果データベース１０４に格納する。  
ビデオコンテンツには、クローズドキャプション（closed captions）と呼ばれる、デコーダにより抽出可能なテキストデータが付随していることが多く、この場合、ビデオコンテンツのトピック分割に、テキストデータを対象とした既存のトピック分割手法を適用することができる。例えば、“Hearst, M. TextTiling: Segmenting Text into Multi-Paragraph Subtopic Passages, Computational Linguistics , 23 (1), pp. 33-64, March 1997. http://acl.ldc.upenn.edu/J/J97/J97-1003.pdf”には、テキスト中に含まれる語彙を比較し、話題の切れ目を自動的に検出する手法が開示されている。  
また、クローズドキャプション情報を含まないビデオコンテンツに対しては、“Smeaton, A., Kraaij, W. and Over, P.: The TREC Video Retrieval Evaluation (TRECVID): A Case Study and Status Report, RIAO 2004 conference proceedings, 2004. http://www.riao.org/Proceedings-2004/papers/0030.pdf”に開示されているように、ビデオコンテンツ中の音声データに対して自動音声認識（automatic speech recognition）技術を適用し、テキストデータを取得してトピック分割に利用してもよい。
【００２４】
次に、トピック一覧生成部１０５は、非開示部分判定結果トピック分割結果データベース１０４に格納されているトピック分割結果に基づき、各トピックセグメントに対応するサムネイル画像やキーワードを生成し、この結果をテレビ画面などの出力部１０６を介してユーザに提示する。ユーザは、提示された分割結果の中から、視聴したいものをリモコンやキーボードなどの入力部１０７を介して選択する。
【００２５】
最後に、再生部分選択部１０８は、入力部１０７から取得した選択情報と、非開示部分判定結果トピック分割結果データベース１０４に格納されているトピック分割結果を基にして、ユーザに提示する映像情報を生成して出力部１０６に渡す。
【００２６】
次に、図１の非開示部分判定部１０１での処理について図２を参照して説明する。図２は、本実施形態における非開示部分判定部１０１の処理の流れの一例を示すフローチャートである。  
まず、放送データあるいは光ディスクなどのメディアからビデオコンテンツを取得する（ステップＳ２０１）。ビデオコンテンツが放送データの場合には番組のタイトルやジャンルの情報を含むＥＰＧ情報を取得してもよい。
【００２７】
次に、ビデオコンテンツからクローズドキャプション（字幕データ）をデコードするか、あるいはビデオコンテンツの音声データに対して自動音声認識を行うことにより、ビデオコンテンツ中の時間情報に対応づけられたテキストデータを取得する（ステップＳ２０２）。
【００２８】
そして、上記テキストデータを基に、非開示部分判定ルールデータベース１０２に格納されている非開示部分判定ルールを参照し、ビデオコンテンツを開示部分と非開示部分に分割する（ステップＳ２０３）。ここで、非開示部分判定ルールデータベース１０２は、非開示部分判定ルールとして、例えば、クイズ番組向けには「それでは正解です」「正解ビデオをご覧ください」、推理もののドラマ（detective stories）の場合には「犯人は」「逮捕する」のような手がかり語を複数格納している。非開示部分判定部１０１は、非開示部分判定ルールと、例えば、ビデオコンテンツのクローズドキャプションとを照合し、上記の手がかり語が出現した前後数分を非開示部分とする方法が考えられる。なお、クローズドキャプションにはテキストデータの他に、あるキーワードが出現する時刻も含まれているので、非開示部分判定部１０１は手がかり語に基づいて非開示部分の時刻を決定することができる。このような判定方法によれば、クイズ番組の正解がわかる部分や、推理ものの犯人がわかる部分などを非開示部分と判定できる可能性が高い。
【００２９】
また、この変形例として、テキストデータを基に非開示部分を判定するかわりに、音声データの音量の変化に着目し、歓声や笑い声が起こった前後数分を非開示部分とする方法や、これらの組み合わせを利用してもよい。
【００３０】
最後に、以上のようにして作成した非開示部分判定結果をビデオコンテンツ、ＥＰＧ情報、テキストデータとともにトピック分割部１０３に渡す。
【００３１】
次に、図１のトピック分割部１０３の処理について図３を参照して説明する。図３は本実施形態におけるトピック分割部１０３の処理の一例を示すフローチャートである。  
まず、非開示部分判定部１０１からビデオコンテンツ、ＥＰＧ情報、テキストデータ、および非開示部分判定結果を受け取る（ステップＳ３０１）。  
次に、日本語のビデオコンテンツの場合は、テキストデータを形態素解析して単語情報を取得する。また、英語などの単語の境界が明確な言語に対しては、stemming（活用語尾の吸収）を行う。これにより、時間情報と単語の出現情報の対応表を作成することができる（ステップＳ３０２）。この対応表については後に図４を参照して説明する。
【００３２】
次に、例えば、“Hearst, M. TextTiling: Segmenting Text into Multi-Paragraph Subtopic Passages, Computational Linguistics , 23 （1）, pp. 33-64, March 1997. http://acl.ldc.upenn.edu/J/J97/J97-1003.pdf”に開示されているTextTilingのような既存のトピック分割アルゴリズムを用いてテキストデータをもとに、複数のトピックを抽出し、このトピックごとに、ビデオコンテンツを複数のトピックセグメントに分割する（ステップＳ３０３）。
【００３３】
そして、トピック分割結果を非開示情報分割結果、ビデオコンテンツ、テキストデータとともに非開示部分判定結果トピック分割結果データベース１０４に格納する（ステップＳ３０４）。
【００３４】
次に、ステップＳ３０２で作成される対応表について図４を参照して説明する。対応表は、形態素解析で取得した単語と、これらの単語の出現時刻とを対応させたものである。この場合、新しい語が出現した時点で分割を行う手法が考えられる。例えば、図４においは、「人名Ａ」「人名Ｂ」および「人名Ｃ」が初めて出現する１９．８０５秒、６４．４５１秒、および９０．８２６秒でトピック分割を行う。
【００３５】
以上の説明では、トピック分割部１０３の処理は、非開示部分判定部１０１の処理と全く独立に行われるが、本実施形態はこれに限定されない。以下に、両処理を連携させるいくつかの変形例について図５を参照して説明する。  
この説明のために、一例として、長さが６０分のＴＶ番組に対する非開示部分判定結果とトピック分割結果との例を図５に示す。図５の上方に示した例では、非開示部分判定部１０１が時点ｔ１からｔ２まで、ｔ３からｔ４まで、およびｔ５からｔ６までを非開示部分と判定している。ｔ１〜ｔ６は、それぞれこの映像コンテンツの開始時刻からの経過時間を示している。一方、図５の下方に示した例では、トピック分割部１０３が時点ｓ１，ｓ２，ｓ３，ｓ４およびｓ５をトピック分割点と判定している。なお、図５では、時点ｓ１〜ｓ５のそれぞれが幅を有している様に示してあるが、この幅は単に見やすいためだけの目的で描かれただけであり、実際には幅はなく、時点ｓ１〜ｓ５はそれぞれある瞬間を示している。
【００３６】
図５の例の場合、トピック分割部１０３は、非開示部分判定結果を基にして、より細かいトピック分割結果を作成することができる。例えば、本来、時点ｓ１からｓ２までがひとつのトピックセグメントであるが、これを時点ｓ１からｔ１、ｔ１からｔ２、ｔ２からｔ３およびｔ３からｓ２という４つのサブセグメントに分解することができる。この場合、ｓ１からｔ１、および、ｔ２からｔ３はユーザに開示してもよいトピックセグメント、ｔ１からｔ２、および、ｔ３からｓ２はユーザに開示すべきでないトピックセグメントとなる。
【００３７】
また、この逆に、トピック分割部１０３は、非開示部分判定結果を基にして、トピック分割結果をより大きな単位に修正するという方針を採用することも考えられる。例えば、図５において、ｓ２からｓ３のトピックセグメントはｔ３からｔ４の非開示部分に完全に包含されているので、トピック境界としてｓ２およびｓ３を不採用とし、かわりにｔ３、ｔ４を採用するなどの方法が考えられる。
【００３８】
さらに、図１に示した本実施形態の映像視聴支援システムの変形例として、非開示部分判定のあとにトピック分割を行うのではなく、トピック分割のあとに非開示部分判定を行ってもよい。この場合、非開示部分判定部は、手がかり語出現時点の前後数分を非開示部分とするなどのヒューリスティクスを用いるかわりに、各トピックセグメントが開示に適しているか否かのみを判定すればよい。
【００３９】
次に、図１のトピック一覧生成部１０５での処理について図６を参照して説明する。図６は本実施形態におけるトピック一覧生成部１０５の処理の一例を示すフローチャートである。  
まず、非開示部分判定結果トピック分割結果データベース１０４から非開示部分判定結果およびトピック分割結果をビデオコンテンツ、テキストデータとともに取得する（ステップＳ６０１）。
【００４０】
次に、非開示部分判定結果トピック分割結果データベース１０４に格納されているトピック分割結果の各トピックセグメントに対応するテキストデータから、トピックセグメントの特徴を表すキーワードもしくはキーセンテンスの少なくとも一方を抽出する（ステップＳ６０２）。  
キーワードの選出方法としては、例えば情報検索における適合フィードバック（relevance feedback）におけるキーワード選出方法を応用すればよい。具体的な選出方法は、例えば、“Robertson, S.E. and Sparck Jones, K: Simple, proven approaches to text retrieval, University fo Cambridge Computer Laboratory Technical Report TR-356, 1997. http://www.cl.cam.ac.uk/TechReports/UCAM-CL-TR-356.pdf”に開示されている。また、キーセンテンスの抽出は、センテンス中に含まれるキーワードの重みの和によりセンテンスの重みを計算すれば容易に実現できる。
【００４１】
次に、各トピックセグメントを代表するサムネイル画像を作成する（ステップＳ６０３）。これには例えば、各トピックセグメントの開始時点から数秒後の画像を選択したり、キーセンテンスの出現時点に対応する画像を選択する方法がある。
【００４２】
非開示部分判定結果トピック分割結果データベース１０４に格納されている非開示部分判定結果に基づき、ユーザから隠蔽するサムネイル画像またはその一部、キーワード、キーセンテンスを決定し、これらが表示されないようにこれらを加工する。（ステップＳ６０４）。隠蔽方法は、例えば、サムネイル画像またはその一部、キーワード、キーセンテンス上に、非開示タグ（例えば、バナー）をおき隠蔽する。隠蔽方法の具体例については後に詳述する。
【００４３】
最後に、以上のようにして構成したトピック一覧画面を出力部１０６に渡し、ユーザに提示する。
【００４４】
次に、本実施形態におけるトピック一覧画面のイメージ図の表示例について図７を参照して説明する。図７の例では、トピック分割部１０３により分割された４つのトピックセグメントが表示されており、各セグメントに対して選出されたサムネイル画像、キーワードおよびキーセンテンスが表示されている。もちろん、実際の表示には全てを用いずともよく、例えばサムネイル画像だけ、あるいはサムネイル画像とキーセンテンスだけでもよい。
【００４５】
図７の第３セグメントは、非開示部分判定部１０１により非開示情報を含むと判定されたセグメントである。このため、この例では、サムネイル画像、キーワード、キーセンテンスを隠すように、「お楽しみ！」（Save it till later!）非開示タグとしてバナーが表示されている。この例では、クローズドキャプションのテキストデータ中に「正解は…」などの手がかり語を検出した場合を示しており、このためバナーには、クイズの正解を隠している旨が記されている。また、ここではサムネイル画像をバナーで覆って隠す例を示したが、かわりにサムネイル画像に非開示タグとしてモザイクなどの画像処理を施して内容が見えにくくしてもよい。他の非開示タグの例としては、ふき出し、網掛け、ぼかしがある。
【００４６】
次に、トピック一覧画面のイメージ図の表示例の図７とは異なる例について図８を参照して説明する。図８の例では、非開示情報を含むトピックセグメントのサムネイル画像、キーワード、キーセンテンスははじめから表示せず、かわりに「お楽しみセグメント（クイズの答えが含まれるため表示していません）」と表示している。
【００４７】
次に、サムネイル画像の一部を隠蔽する例について図９Ａ、図９Ｂ、図１０Ａ、図１０Ｂを参照して説明する。図９Ａ、図９Ｂは、サムネイル画像全体を隠蔽するのではなく、サムネイル画像の一部を隠蔽する場合のイメージ図である。図９Ａが隠蔽前、図９Ｂが隠蔽後のイメージを表している。
【００４８】
この例では、サムネイル画像に対して既存のテロップ（overlay text, open captions）認識技術を適用し、テロップの位置を同定して、次にこのテロップを隠蔽するようなバナーを生成して表示している。テロップ認識によりテロップ中の「正解」のような文字列が検出できれば、図９Ｂにあるようにバナーに「この下に正解テロップがあります」のように表示することが可能である。もし、テロップに対する文字認識が難しい場合には、テロップ位置の検出のみ行い、非開示情報を含む可能性をもつテロップは全て「お楽しみ！」とのみ書かれたバナーで覆って隠蔽することも考えられる。
【００４９】
図１０Ａ、図１０Ｂは、クイズ番組ではなくスポーツ番組において、テロップによりスコア情報が表示されている部分を隠蔽した場合を示している。ＥＰＧには番組のジャンル情報が記載されているので、処理対象としている番組がスポーツ番組であることがわかり、定常的に表示されているテロップはスコア情報である可能性が高いと推定することが可能である。このような場合は、図７のようなトピック一覧画面において、スコアを隠蔽するバナーを全てのサムネイル画像に付ける。
【００５０】
また、以上では、非開示部分判定部１０１により非開示部分と判定されたデータに対しても開示部分と同様に一旦サムネイル画像、キーワード、キーセンテンス抽出を行い、これらを必要に応じて隠蔽する場合について説明したが、非開示部分のデータを予めサムネイル画像、キーワード、キーセンテンス抽出の対象から除外する方法も考えられる。  
例えば、第５図の時点ｓ４からｓ５までのセグメントに対するサムネイル画像、キーワード、キーセンテンス抽出を行う際（ステップＳ６０２、ステップＳ６０３）に、時点ｔ５からｔ６までの画像およびクローズドキャプションテキストは抽出対象外とすれば、ユーザに非開示情報が提示されてしまう危険性は低くなる。この場合、ユーザには特に「お楽しみ！」バナーを表示せず、時点ｓ４からｔ５、および時点ｔ６からｓ５の間から選出したサムネイル画像、キーワード、キーセンテンスを表示すればよい。
【００５１】
次に、図１の再生部分選択部１０８での処理について図１１を参照して説明する。図１１は本実施形態における再生部分選択部１０８の処理の流れの一例を示す。
【００５２】
まず、入力部１０７からユーザにより選択されたトピックセグメントの情報を受け取る（ステップＳ１１０１）。  
次に、各トピックセグメントに対応する開始時間および終了時間のTIMESTAMPを非開示部分判定結果トピック分割結果データベース１０４から取得する（ステップＳ１１０２）。  
そして、全トピックセグメントの開始時間および終了時間を統合し、元の部分のどの部分を再生するかを決定し、これに基づきビデオコンテンツを部分的に再生する（ステップＳ１１０３）。
【００５３】
以上に説明したように、本実施形態によれば、番組のトピック分割によりユーザに選択的視聴を促すインタフェースにおいて、ユーザが実際の視聴の前には知りたくない情報が事前にユーザに提示されてしまうのを回避し、ユーザの番組視聴の楽しみが損なわれることを回避できる。
【００５４】
（第２の実施形態）  
本実施形態は、構成上、第１の実施形態と同一であるが、ユーザの入力が、非開示部分判定部にフィードバックされる点のみが異なる。以下、第１の実施形態と異なる非開示部分判定部のフィードバック処理を中心に説明する。
【００５５】
本実施形態の映像視聴支援システムについて図１２を参照して説明する。図２は第１の実施形態に係る映像視聴支援システムの概略構成を示すブロック図である。なお、以下、既に説明した装置部分と同様なものは同一の番号を付してその説明を省略する。  
入力部１２０２は、入力部１０７が行う処理に加えて、後の図１３を参照して説明するように、ユーザが入力部１２０２を操作することにより、あるビデオコンテンツのトピックセグメントごとに、そこにある表示（例えば、サムネイル画像、キーワード、キーセンテンス）を隠したり、見せたりすることができるように設定されている。
【００５６】
非開示部分判定部１２０１は、非開示部分判定部１０１が行う処理に加えて、入力部１２０２からの入力情報に基づいて、非開示部分判定ルールデータベース１０２に格納されている判定ルールを更新する。この入力情報は、あるビデオコンテンツのトピックセグメントごとに表示を隠すか否かの情報である。
【００５７】
非開示部分判定部１２０１は、この入力情報から、隠すべきトピックセグメントに含まれるテキストデータを取得する。このテキストデータに含まれている手がかり語を抽出し、この手がかり語が非開示部分判定ルールデータベース１０２に格納されていない場合には、この手がかり語を非開示部分判定ルールデータベース１０２に追加する。  
一方、非開示部分判定部１２０１は、入力情報から、見せるべきトピックセグメントに含まれているテキストデータを取得し、このテキストデータに含まれている用語を抽出し、この用語が非開示部分判定ルールデータベース１０２に格納されていない場合には、この用語を非開示部分判定ルールデータベース１０２から削除する処理を行ってもよい。
【００５８】
次に、本実施形態におけるトピック一覧画面の表示例について図１３を参照して説明する。図１３は、第１の実施形態で参照した図７との見かけ上の違いは、各トピックセグメントを「みせる」か「かくす」か、ユーザが選択できるボタンがついている点のみである。  
図１３の例では、第３のトピックセグメントは「かくす」状態になっているが、ユーザがこのボタンをクリックすると「みせる」状態になり、サムネイル画像、キーワード、キーセンテンス上に表示されている、これらを隠すためのバナーが消滅し、サムネイル画像、キーワード、キーセンテンスがユーザから見える状態になる。逆に、現在「みせる」状態になっているトピックセグメントに対してユーザが「かくす」に変更することもできる。
【００５９】
非開示部分判定部１２０１、入力部１２０２が以上のような動作をすれば、非開示部分判定部１２０１の判定精度が完璧でなくても、ユーザに修正を加えてもらうことにより次回からの判定精度を高めることが可能である。
【００６０】
例えば、クイズ番組向けの非開示部分判定ルールが「それでは正解です」という手がかり語を含んでいるが、「正解はこちらです」という手がかり語を含まないために、非開示部分判定部１２０１が「正解はこちらです」という表現ではじまるトピックセグメントを誤って開示部分と判定してしまい、ユーザに事前に提示すべきでない正解情報が提示されてしまった場合がありうる。
【００６１】
このとき、ユーザから入力部１２０２を介して「このようなセグメントは以後非開示にするように」という指定を受けることによって、非開示部分判定部１２０１が「正解はこちらです」という新しい手がかり語を非開示部分判定ルールデータベース１０２が格納している非開示部分判定ルールに加えることができる。
【００６２】
さらに、図１３において、トピックセグメント全体を「みせる」か「かくす」かユーザに決定させるかわりに、サムネイル画像、キーワード、キーセンテンスのいずれかを覆っているバナーを個別にドラッグ（drag）などにより除去させる、といった指定方法をユーザに与えることもできる。
【００６３】
次に、図１２の非開示部分判定部１２０１でのフィードバック処理について図１４を参照して説明する。  
入力部１２０２を介してユーザから非開示部分を開示する指定もしくは開示部分を非開示にする指定が入力される（ステップＳ１４０１）と、非開示部分判定部１２０１は、ユーザの上記指定に基づき、非開示部分判定ルールデータベース１０２に格納されている非開示部分判定ルールを修正する（ステップＳ１４０２）。
【００６４】
次に、修正された非開示部分判定ルールを用いて、現在保持しているテキストデータに対して非開示部分判定を再度行い（ステップＳ１４０３）、判定結果をトピック分割部１０３に渡す（ステップＳ１４０４）。
【００６５】
以後、トピック分割部１０３およびトピック一覧生成部１０５は、第１の実施形態と同様の処理を行う。これにより、ユーザのフィードバック情報がただちに画面に反映されることになる。
【００６６】
以上のような処理により、ユーザにどの情報を開示するか、どの情報を非開示とするか修正をさせることによって、非開示部分の精度をユーザの意図するように高めていくことがある程度可能となる。
【００６７】
従来のrelevance feedback技術は、ユーザの興味に応じてどのトピックセグメントをお勧めとするかに主眼をおいていたが、上記実施形態では、ユーザの興味ではなく、ユーザがどのような情報は視聴前に開示してほしいか、あるいは開示してほしくないかをシステムに反映させることができ、ユーザの楽しみを損なわない選択的視聴が実現できると考えられる。
【００６８】
以上に示した実施形態によれば、番組のトピック分割によりユーザに選択的視聴を促すインタフェースにおいて、ユーザが実際の視聴以前には知りたくない情報が事前にユーザに提示されてしまうことを回避することができる。したがって、ユーザの番組視聴の楽しみが損なわれるのを回避することができる。
【００６９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００７０】
【図１】本発明の第１の実施形態に係る映像視聴支援システムの概略構成を示すブロック図。
【図２】図１の非開示部分判定部での処理の流れの一例を示すフローチャート。
【図３】図１のトピック分割部での処理の流れの一例を示すフローチャート。
【図４】図３のステップＳ３０２で作成される対応表を示す図。
【図５】非開示部分判定結果とトピック分割結果との一例を示す図。
【図６】図１のトピック一覧生成部での処理の流れの一例を示すフローチャート。
【図７】図１の出力部が出力するトピック一連画面の一例を示す図。
【図８】図７とは異なるトピック一連画面の一例を示す図。
【図９Ａ】あるサムネイル画像の隠蔽前の一例を示す図。
【図９Ｂ】図９Ａのサムネイル画像の隠蔽後の一例を示す図。
【図１０Ａ】図９Ａとは異なるあるサムネイル画像の隠蔽前の一例を示す図。
【図１０Ｂ】図１０Ａのサムネイル画像の隠蔽後の一例を示す図。
【図１１】図１の再生部分選択部での処理の流れの一例を示す図。
【図１２】本発明の第２の実施形態に係る映像視聴支援システムの概略構成を示すブロック図。
【図１３】図１２の出力部が出力するトピック一連画面の一例を示す図。
【図１４】図１２の非開示部分判定部での処理の流れの一例を示す図。
【符号の説明】
【００７１】
１００、１２００…映像視聴支援システム、１０１、１２０１…非開示部分判定部、１０２…非開示部分判定ルールデータベース、１０３…トピック分割部、１０４…非開示部分判定結果トピック分割結果データベース、１０５…トピック一覧生成部、１０６…出力部、１０７、１２０２…入力部、１０８…再生部分選択部、１０９…デコーダ。
【図１】
2007150724.tif 000003
【図２】
2007150724.tif 000004
【図３】
2007150724.tif 000005
【図４】
2007150724.tif 000006
【図５】
2007150724.tif 000007
【図６】
2007150724.tif 000008
【図７】
2007150724.tif 000009
【図８】
2007150724.tif 000010
【図９Ａ】
2007150724.tif 000011
【図９Ｂ】
2007150724.tif 000012
【図１０Ａ】
2007150724.tif 000013
【図１０Ｂ】
2007150724.tif 000014
【図１１】
2007150724.tif 000015
【図１２】
2007150724.tif 000016
【図１３】
2007150724.tif 000017
【図１４】
2007150724.tif 000018